(57)【要約】      （修正有）【課題】挿管を行う際、喉部をはっきりと観察することができる上、操作方式を改めて学習しなくとも直ちに操作することができる撮像式喉頭鏡を提供する。【解決手段】撮像式喉頭鏡は、結合装置１、撮像機器２及び喉頭鏡３を備える。結合装置１は、挟持部材１１、円弧状凹部１２、結合杆１３、操作板１４及び長孔１５を含む。撮像機器２は、信号発射ユニット２１、導管２２、レンズ２３及びスクリーンを含む。信号発射ユニット２１は、複数の挟持部材１１のうちの１つに配設され、且つ信号発射ユニット２１に、導管２２が接続される。喉頭鏡３は、把持部３１及び舌圧子３２を含む。把持部３１の最上位に、２つの挟持部材１１の結合杆１３がクランプされ、把持部３１の下端に舌圧子３２が結合される。舌圧子３２の前端に近接した箇所に、レンズ２３が配設される。【選択図】図１
0003198848.tif 000002
【実用新案登録請求の範囲】
【請求項１】
結合装置、撮像機器及び喉頭鏡を備えた撮像式喉頭鏡であって、
前記結合装置は、挟持部材、円弧状凹部、結合杆、操作板及び長孔を含み、
前記挟持部材の数は２つであり、互いに対称な前記挟持部材は、側部が枢着端により枢着され、前記２つの挟持部材の中段部は、半円弧状を呈し、前記挟持部材の内側には、円弧状凹部がそれぞれ形成され、前記円弧状凹部は、前記喉頭鏡の把持部に当接され、前記挟持部材の側端には、前記結合杆が枢着され、前記結合杆の他端には、操作板が枢着され、他方の前記挟持部材の前記結合杆が対応した側部には、長孔が形成され、前記長孔には、前記結合杆が嵌入され、前記挟持部材上には、前記撮像機器の信号発射ユニットが配設され、
前記撮像機器は、信号発射ユニット、導管、レンズ及びスクリーンを含み、前記信号発射ユニットは、複数の挟持部材のうちの１つに配設され、且つ前記信号発射ユニットには、前記導管が接続され、前記導管の前端には、前記レンズが接続され、前記レンズが前記喉頭鏡の舌圧子の前端に位置し、前記信号発射ユニットは、前記連結ユニットを介して有線方式により前記スクリーンと連結され、
前記喉頭鏡は、把持部及び舌圧子を含み、前記把持部の最上位は、前記２つの挟持部材の前記結合杆をクランプするために用い、前記把持部の下端には前記舌圧子が結合され、前記舌圧子の前端に近接した箇所には、前記レンズが配設されていることを特徴とする撮像式喉頭鏡。
【請求項２】
前記撮像機器の前記信号発射ユニットは、Ｂｌｕｅｔｏｏｔｈ又はＷｉ−Ｆｉ無線通信方式によりモバイル機器へ信号を送信することを特徴とする請求項１に記載の撮像式喉頭鏡。
【請求項３】
前記モバイル機器はスクリーン、タブレット型パソコン又は携帯電話であることを特徴とする請求項２に記載の撮像式喉頭鏡。
【請求項４】
前記結合装置の前記操作板は、前記挟持部材に対応した外形を有することを特徴とする請求項１に記載の撮像式喉頭鏡。
【請求項５】
前記結合装置の前記円弧状凹部内には、滑り止めシートが設けられていることを特徴とする請求項１に記載の撮像式喉頭鏡。
【請求項６】
前記撮像機器の前記レンズの周囲には、発光体が設けられていることを特徴とする請求項１に記載の撮像式喉頭鏡。
【請求項７】
前記撮像機器の前記導管には、位置決めリングが結合され、
前記位置決めリングは、前記舌圧子に結合されていることを特徴とする請求項１に記載の撮像式喉頭鏡。
【考案の詳細な説明】
【技術分野】
【０００１】
本考案は、撮像式喉頭鏡に関し、その構造は、挿管作業を容易にする医療器具であり、特に、喉頭鏡に撮像構造が取り付けられた撮像式喉頭鏡に関する。
【背景技術】
【０００２】
初期の喉頭鏡は、人工気管の挿管作業を行うときに使用する補助器具であり、喉頭鏡の舌圧子には、挿管作業を容易にする照明機能が備えられていた。喉部の奥部を見え易くする撮像装置及び映像表示パネルが喉頭鏡に結合されているため、使用者は挿管を正確に行うことができる。
【０００３】
しかし、従来の市販されている撮像装置及び画像表示パネルが結合された喉頭鏡は、一般に一体成形されていたため、医療機関は古い型式の喉頭鏡を強制的に交換する必要があった。しかし、古い型式の喉頭鏡は高価であるため、廃棄することが勿体ない上、新しい喉頭鏡に交換した場合、使用者は操作方式を改めて学習し、慣れる必要があり実用的でなかった。
【考案の概要】
【考案が解決しようとする課題】
【０００４】
本考案の主な目的は、従来の喉頭鏡に撮像装置が取り付けられ、使用者が挿管を行う際、喉部をはっきりと観察することができる上、操作方式を改めて学習しなくても直ちに操作することができる撮像式喉頭鏡を提供することにある。
【図面の簡単な説明】
【０００５】
【図１】図１は、本考案の一実施形態に係る撮像式喉頭鏡を示す分解斜視図である。
【図２】図２は、本考案の一実施形態に係る撮像式喉頭鏡を示す斜視図である。
【図３】図３は、本考案の一実施形態に係る撮像式喉頭鏡のレンズの周囲に発光体が設けられた状態を示す斜視図である。
【図４】図４は、本考案の一実施形態に係る撮像式喉頭鏡の信号発射ユニットがスクリーンに連結された状態を示す斜視図である。
【図５】図５は、本考案の一実施形態に係る撮像式喉頭鏡の２つの挟持部材により把持部がクランプされた状態を示す動作図である。
【図６】図６は、本考案の一実施形態に係る撮像式喉頭鏡のレンズにより撮影し、ビデオ信号をスクリーンへ送信する状態を示す動作図である。
【図７】図７は、本考案の一実施形態に係る撮像式喉頭鏡の信号発射ユニットが無線通信方式によりモバイル機器と通信する状態を示す斜視図である。
【考案を実施するための形態】
【０００６】
以下、本考案の実施形態について図に基づいて説明する。なお、これによって本考案が限定されるものではない。
【０００７】
本考案の一実施形態に係る撮像式喉頭鏡は、少なくとも結合装置１、撮像機器２及び喉頭鏡３から構成されてなる。
【０００８】
結合装置１は、挟持部材１１、円弧状凹部１２、結合杆１３、操作板１４及び長孔１５を含む。挟持部材１１の個数は２つであり、互いに対称な挟持部材１１の側部が枢着端１１１を介して枢着されている。２つの挟持部材１１は、枢着端１１１を介して回転して開いたり閉じたりし、２つの挟持部材１１の中段部は、半円弧状を呈し、２つの挟持部材１１の内側には、円弧状凹部１２がそれぞれ形成されている。円弧状凹部１２は、喉頭鏡３の把持部３１上に当接され、円弧状凹部１２内には滑り止めシート１２１が設けられている。挟持部材１１の側端には、結合杆１３が枢着され、結合杆１３の他端には、操作板１４が枢着されている。操作板１４の外形は、挟持部材１１に対応し、操作板１４が挟持部材１１上に当接され、他方の挟持部材１１の結合杆１３が対応した側部には、長孔１５が形成されている。長孔１５には、結合杆１３が嵌入され（図２参照）、挟持部材１１上には、撮像機器２の信号発射ユニット２１が配設されている。
【０００９】
撮像機器２は、信号発射ユニット２１、導管２２、レンズ２３及びスクリーン２４を含む。信号発射ユニット２１は、挟持部材１１上に配設される上、導管２２が結合されている。導管２２内には、信号線路が設けられている。導管２２の前端には、レンズ２３が接続され、レンズ２３が喉頭鏡３の舌圧子３２の前端に位置し（図３を併せて参照する）、レンズ２３の周囲には、光源を放射する発光体２３１が設けられ、導管２２には、位置決めリング２２１が結合される。位置決めリング２２１は、舌圧子３２に結合され、図４に示すように、信号発射ユニット２１は、連結ユニット２１１を介して有線方式によりスクリーン２４と連結されている。
【００１０】
喉頭鏡３は、従来の喉頭鏡構造であり、把持部３１及び舌圧子３２を含む。把持部３１の最上位は、２つの挟持部材１１の結合杆１３をクランプするために用いられ、把持部３１の下端には舌圧子３２が結合され、舌圧子３２の前端に近接した箇所には、レンズ２３が配設されている。
【００１１】
図４及び図５を参照する。図４及び図５に示すように、本考案の一実施形態に係る撮像式喉頭鏡を実際に使用する際、使用者は２つの挟持部材１１を回転して展開した後、２つの挟持部材１１が円弧状凹部１２を介して喉頭鏡３の把持部３１に当接され、その後、結合杆１３が回転されて長孔１６に嵌入されてから、操作板１４が回転され、操作板１４が回転されると、結合杆１３が一緒に駆動され、結合杆１３により挟持部材１１を他方の挟持部材１１へ向けて変位させ、２つの円弧状凹部１２間の間隔が小さくなると、２つの挟持部材１１が把持部３１にクランプされて信号発射ユニット２１が固定され、導管２２が舌圧子３２へ延び、位置決めリング２２１が舌圧子３２上へ固定され、レンズ２３が舌圧子３２の前端に固定され、図６に示すように、レンズ２３がオンされると、レンズ２３により撮影されたビデオ信号が信号発射ユニット２１へ送信され、信号発射ユニット２１が、連結ユニット２１１の有線通信方式により信号をスクリーン２４へ送信すると、使用者は観察しながら挿管作業を容易に行うことができる。
【００１２】
図７に示すように、本考案の他の実施形態に係る撮像式喉頭鏡は、信号発射ユニット２１がＢｌｕｅｔｏｏｔｈ（登録商標）又はＷｉ−Ｆｉ（登録商標）無線通信方式によりモバイル機器４へ信号を送信する。モバイル機器４は、スクリーン、タブレット型パソコン、携帯電話などでもよい。
【００１３】
上述したことから分かるように、本考案の撮像式喉頭鏡は、信号発射ユニットが結合装置を介して従来の喉頭鏡上に取付けられた後、信号発射ユニットが有線又は無線方式によりビデオ信号をスクリーン又はモバイル機器へ送信し、使用者が挿管作業を行うとき、喉部をはっきりと観察することができ、且つ本考案の構造を従来の喉頭鏡上に取付けることができるため、使用者は操作方式を変えずに、改めて操作方式を学習する必要がなく、容易に操作することができる上、購入コストを減らすことができる。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１  結合装置
２  撮像機器
３  喉頭鏡
４  モバイル機器
１１  挟持部材
１２  円弧状凹部
１３  結合杆
１４  操作板
１５  長孔
２１  信号発射ユニット
２２  導管
２３  レンズ
２４  スクリーン
３１  把持部
３２  舌圧子
１１１  枢着端
１２１  滑り止めシート
２１１  連結ユニット
２２１  位置決めリング
２３１  発光体
【図１】
0003198848.tif 000003
【図２】
0003198848.tif 000004
【図３】
0003198848.tif 000005
【図４】
0003198848.tif 000006
【図５】
0003198848.tif 000007
【図６】
0003198848.tif 000008
【図７】
0003198848.tif 000009
【手続補正書】
【提出日】平成27年5月25日(2015.5.25)
【手続補正１】
【補正対象書類名】実用新案登録請求の範囲
【補正対象項目名】請求項１
【補正方法】変更
【補正の内容】
【請求項１】
結合装置、撮像機器及び喉頭鏡を備えた撮像式喉頭鏡であって、
前記結合装置は、挟持部材、円弧状凹部、結合杆、操作板及び長孔を含み、
前記挟持部材の数は２つであり、互いに対称な前記挟持部材は、側部が枢着端により枢着され、前記２つの挟持部材の中段部は、半円弧状を呈し、前記挟持部材の内側には、円弧状凹部がそれぞれ形成され、前記円弧状凹部は、前記喉頭鏡の把持部に当接され、前記挟持部材の側端には、前記結合杆が枢着され、前記結合杆の他端には、操作板が枢着され、他方の前記挟持部材の前記結合杆が対応した側部には、長孔が形成され、前記長孔には、前記結合杆が嵌入され、前記挟持部材上には、前記撮像機器の信号発射ユニットが配設され、
前記撮像機器は、信号発射ユニット、導管、レンズ及びスクリーンを含み、前記信号発射ユニットは、複数の挟持部材のうちの１つに配設され、且つ前記信号発射ユニットには、前記導管が接続され、前記導管の前端には、前記レンズが接続され、前記レンズが前記喉頭鏡の舌圧子の前端に位置し、前記信号発射ユニットは、連結ユニットを介して有線方式により前記スクリーンと連結され、
前記喉頭鏡は、把持部及び舌圧子を含み、前記把持部の最上位は、前記２つの挟持部材の前記結合杆をクランプするために用い、前記把持部の下端には前記舌圧子が結合され、前記舌圧子の前端に近接した箇所には、前記レンズが配設されていることを特徴とする撮像式喉頭鏡。